(57)【要約】【課題】上下方向及び水平方向のガタを抑えて良好な回転性能、移動性能が得られ、あらゆる方向の衝撃に対してもこれを緩和することができ、引張りや引掛りに対しても外れることのないバンパーを有する掃除機本体と回転台車を備えた電気掃除機を提供すること。【解決手段】集塵室３５、電動送風機３７、コードリール３９を内蔵し、前面側に集塵室３５に連通しホース部材が接続される吸込口１７を有する平面形状がほぼ円形の掃除機本体１と、平面形状がほぼ円形で上面に複数のローラ４８を有し下面に複数のキャスタ５４が設けられ、上面に掃除機本体１が回動自在に軸止される回転台車４０とを備え、回転台車４０の上面に設けたローラ４８を、回転台車４０の底面に対して上部が中心部側に向う角度θで傾斜して配設した。【選択図】図１
2008043635.tif 000002
【特許請求の範囲】
【請求項１】
集塵室、電動送風機、コードリールを内蔵し、前面側に前記集塵室に連通しホース部材が接続される吸込口を有する平面形状がほぼ円形の掃除機本体と、平面形状がほぼ円形で上面に複数のローラを有し下面に複数のキャスタが設けられ、上面に前記掃除機本体が回動自在に軸止される回転台車とを備え、
前記回転台車の上面に設けたローラを、該回転台車の底面に対して上部が中心部側に向う角度θで傾斜して配設したことを特徴とする電気掃除機。
【請求項２】
前記回転台車に設けたローラの傾斜角度θを４５°としたことを特徴とする請求項１記載の電気掃除機。
【請求項３】
前記回転台車に設けたローラを、周方向にほぼ等間隔で奇数個設けたことを特徴とする請求項１又は２記載の電気掃除機。
【請求項４】
前記回転台車に設けたキャスタを、前記ローラの間に配置したことを特徴とする請求項１〜３のいずれかに記載の電気掃除機。
【請求項５】
前記掃除機本体の下面に周壁と同心的にガタ防止リブを設けると共に、前記回転台車の上面に前記掃除機本体のガタ防止リブに近接してガタ防止リブを設けたことを特徴とする請求項１〜４のいずれかに記載の電気掃除機。
【請求項６】
前記回転台車に、下面に開口するキャスタ保持部を設け、該キャスタ保持部の外周側を除く開口部の周囲に開口部側が高い傾斜面からなる膨出部を設けたことを特徴とする請求項１〜５のいずれかに記載の電気掃除機。
【請求項７】
前記回転台車の下面に設けた膨出部を、キャスタを床面上に接触させて該回転台車を設置したときに、該床面に接触しない高さとしたことを特徴とする請求項６記載の電気掃除機。
【請求項８】
前記回転台車の下面中央部近傍に、低摩擦材を設けたことを特徴とする請求項１〜７のいずれかに記載の電気掃除機。
【請求項９】
前記回転台車の外周にバンパーを設け、該バンパーを外側に位置する長片と内側に位置する短片とによりほぼ逆Ｊ字状に形成し、前記長片の内壁面の周方向に所定の間隔でバッファ体を設け、該バッファ体と前記短片とにより前記回転台車の周壁を挟持して取付けたことを特徴とする請求項１〜８のいずれかに記載の電気掃除機。
【請求項１０】
前記バッファ体を、前記バンパーの長片の内壁面の上下方向に設けた中空体又はリブによって形成したことを特徴とする請求項９記載の電気掃除機。
【請求項１１】
前記バッファ体を、前記バンパーの長片の内壁面に設けたばねによって形成したことを特徴とする請求項９記載の電気掃除機。
【請求項１２】
前記掃除機本体の下面の前後又はいずれか一方に、前記回転台車のバンパーと摺接する清掃材を設けたことを特徴とする請求項９〜１１のいずれかに記載の電気掃除機。
【請求項１３】
前記コードリールに巻かれた電源コードの引出し口を、前記電気掃除機本体の後端部と外周を結ぶ接線内に設け、好ましくは該接線と直交し前記掃除機本体の中心部を通る線に沿って設けたことを特徴とする請求項１〜１２のいずれかに記載の電気掃除機。
【請求項１４】
前記掃除機本体の周壁の各開口部を除く部分の内側に、前記周壁と同心的にかつ所定のすき間を隔てて内壁を設け、前記周壁と内壁との間に空気層を形成したことを特徴とする請求項１〜１３のいずれかに記載の電気掃除機。
【請求項１５】
前記掃除機本体の周壁と内壁との間に消音材を配設したことを特徴とする請求項１４記載の電気掃除機。
【発明の詳細な説明】
【技術分野】
【０００１】
本発明は、電気掃除機に係り、より詳しくは、掃除機本体の下面に回転台車を備えた電気掃除機に関するものである。
【背景技術】
【０００２】
従来の電気掃除機に、フィルターを収納する集塵部及び電動送風機を内蔵し、上方から見た形状が略円形をした掃除機本体と、該掃除機本体を載置するとともに上方から見た形状が略円形をした車輪台と、前記掃除機本体の外側に突出し、かつ前記車輪台を被掃除面上で移動させる移動手段と、前記掃除機本体の集塵部に連通し、外部よりホースを着脱自在に構成するホース取付部とを備え、前記車輪台内に前記掃除機本体下部を嵌合させると共に、前記掃除機本体を前記車輪台に対して回動自在に軸支し、前記ホース取付部と前記電動送風機とを前記車輪台回動中心に対して反対側に位置させると共に、前記電動送風機が配置される位置を前記ホース取付部の位置よりも下側に位置させ、かつ前記ホース取付部を前記掃除機本体に対し回動自在に構成したものがある（例えば、特許文献１参照）。
【０００３】
【特許文献１】特許第２９０７８５７号公報（第２〜３頁、図１〜４）
【発明の開示】
【発明が解決しようとする課題】
【０００４】
上記のような特許文献１の電気掃除機においては、次のような問題があった。
（１）掃除機本体の底面に取付けられて車輪台に当接する車輪が、床面に対して垂直に設けられているため、掃除機本体及び車輪台に発生する上下方向のガタは抑えることができるが、水平方向のガタは抑制できないため、車輪台の良好な回転性能が得られず、また、車輪台との接触部分が摩耗し易すかった。さらに、掃除機本体又は車輪台に水平方向の衝撃等の外力が作用すると、車輪と車輪台との接触部分に直接衝撃力等が加わるため、破損のおそれがあった。
【０００５】
（２）車輪台は、その中心部に設けた回転軸が、掃除機本体の下面に設けた固定軸に回転自在に嵌合して支持されているが、掃除機本体と車輪台との間に発生した水平方向のガタが固定軸に集中するため、固定軸の負担が大きいので摩耗し易く、破損することがあった。
【０００６】
（３）車輪台の外周にはバンパーが設けられているが、このバンパーは車輪台の外周に設けたリブに抱え込ませて取付けられている。このため、バンパーを中空に形成する必要があるが、バンパーに引張力が作用したり、引掛け等の力が加えられたりすると、リブから外れ易いという問題があった。
また、二重成型等の金型技術を利用して、軟質材からなるバンパーを直接車輪台に設けた場合は、バンパーに引張りや引掛り等の力が作用しても外れることはないが、優れたクッション性が得られないという問題がある。
【０００７】
（４）車輪台の外周に設けたバンパーは汚れ易いが、この汚れを落すのが面倒なため外観を損ねるばかりでなく、掃除の際に柱や家具などに当ると、バンパーに付着した汚れが相手方に移って汚してしまうことがある。
【０００８】
（５）掃除中に電源コード等を越えようとすると、キャスターが電源コード等を乗り越えることができず引っ掛ってしまうことがあり、また、絨毯の上を移動させる際に、キャスターが絨毯にめり込んでしまい、車輪台が回転できなくなることがある。
【０００９】
（６）車輪台の底面は平坦で剛性が低いため、電動送風機のモータの振動が床面に伝わり易く、また、キャスターに対する床面からの反動により、車輪台及び掃除機本体が振動するという問題もあった。
【００１０】
（７）集塵部に消音材が設けられていないため、集塵部に連通する電動送風機の前面から発生する騒音を低減することができなかった。
【００１１】
（８）電源コードを、前後方向の中心線と平行に掃除機本体の後部側から引き出すようになっているが、電源コードの引き出し方向が掃除機本体の前後方向の中心線からずれているため、電源コードを引き出すときに掃除機本体に回転力が発生し、掃除機本体を支える手にねじれ方向の負荷がかかり好ましくない。
【００１２】
本発明は、上記の課題を解決するためになされたもので、上下方向及び水平方向のガタを抑えて、良好な回転性能、移動性能が得られ、あらゆる方向の衝撃に対してもこれを緩和することができ、引張りや引掛りに対しても外れることのないバンパーを有する、掃除機本体と回転台車を備えた電気掃除機を提供することを目的としたものである。
【課題を解決するための手段】
【００１３】
本発明に係る電気掃除機は、集塵室、電動送風機、コードリールを内蔵し、前面側に前記集塵室に連通しホース部材が接続される吸込口を有する平面形状がほぼ円形の掃除機本体と、平面形状がほぼ円形で上面に複数のローラを有し下面に複数のキャスタが設けられ、上面に前記掃除機本体が回動自在に軸止される回転台車とを備え、前記回転台車の上面に設けたローラを、該回転台車の底面に対して上部が中心部側に向う角度θで傾斜して配設したものである。
【発明の効果】
【００１４】
本発明によれば、上下方向及び水平方向のガタを抑えて、掃除機本体及び回転台車の良好な回転性能、移動性能が得られ、またバンパーによりあらゆる方向の衝撃に対してもこれを緩和することのできる、掃除機本体及び回転台車を備えた使い勝手のよい電気掃除機を得ることができる。
【発明を実施するための最良の形態】
【００１５】
［実施の形態１］
図１０は本発明の実施の形態１に係る電気掃除機の全体構成を示す斜視図である。
本発明に係る電気掃除機は、内部に集塵室や電動送風機が設けられた平面形状がほぼ円形の掃除機本体１と、下面にキャスタを有し掃除機本体１の下面に回転自在に軸止された平面形状がほぼ円形の回転台車４０と、蛇腹ホース１０１の一端に掃除機本体１の吸込口に着脱可能に接続される接続具１０２を有し、他端に電源スイッチ等の操作部１０４を有する取っ手部１０３が設けられたホースユニット１００と、ホースユニット１００の取っ手部１０３に着脱可能に接続される延長管１０５と、延長管１０５の先端部に着脱可能に接続される床用吸込具１０６とからなっている。なお、以下の説明では、掃除機本体１の吸込口側を前面側、その反対側を後面側という。
【００１６】
図１は本発明の実施の形態１に係る電気掃除機の掃除機本体及び回転台車の縦断面図、図２は図１の外観斜視図、図３は図２の前面図、図４は図２の後面図、図５は図２の掃除機本体と回転台車を分離した状態を示す斜視図、図６は掃除機本体の下ケースの平面図である。
【００１７】
掃除機本体１はほぼ円筒状の上ケース２と下ケース３からなり、上ケース２の天面はほぼ中央部から前面側が開口されて、後面側には上面がゆるやかな半円弧状に形成された天板４が設けられており、前面側の開口部には、天板４とほぼ同じ形状の上蓋５が開閉自在に設けられている。６は上蓋５をロックするラッチを解除する押しボタンである。
【００１８】
下ケース３は図６、図７（ａ）に示すように、周壁１２を有する底部１１の下面の周壁１２の若干内側には、周壁１２と同心的にガタ防止リブ１３が設けられており、その中心部側にはガタ防止リブ１３と所定の間隙を隔てて有底円筒状の凹部１４が下方に突設されている。そして、底部１１と凹部１４との間に形成された段部の外周側（下面側）には、後述のローラ４８が当接する円弧状の当接部１５が形成されている。１６は凹部１４の上面中心部に突設された円筒状の回転軸受部である。
【００１９】
１７は前面側に設けられた塵埃等を含む空気の吸込口、１８は吸込口１７の下部に設けられ、吸込口１７に接続される後述のハンドル部材３０（図２）が嵌合するガイド部である。１９は後面側に上部が開口されたほぼ箱状に延設された延設部で、一部が凹部１４上に位置し、底部１１と連続する底部１１ａ上には、周壁を有する円形のコードリール３９（図１）の保持部２０が形成されており、その中心部にはコードリール３９が回転自在に装着される円筒状の軸受部２１が立設されている。２２は多数の排気穴２４を有し、前面側にフィルタを備えた排気板２３（図４）の取付部である。なお、上ケース２の後面側にはこの延設部１９の上面開口部を閉塞し、排気板２３を挟持する上部延設部７（図２）が設けられている。２５はコードリール３５に巻かれた電源コード２６（図２にはプラグが示してある）の引出し口である。
【００２０】
３０はハンドル部材で、下ケース３に設けた吸込口１７に接続されて、ホース部材１００の接続具１０２が接続される接続口３１、接続口３１の下部に設けられ、不使用時にホース部材１００の取っ手部１０３に接続された延長管１０５に設けた係止部１０５ａが係止する係止部３３を有する係止台３２、及び接続口３１の両側から斜め上方に延設された門型状のハンドル３４からなっている。
【００２１】
このハンドル部材３０は、その接続口３１と係止台３２との間を下ケース３のガイド部１８に嵌合し、接続口３１を下ケース３の吸込口１７にパッキン（図示せず）を介して嵌合すると共に、接続口３１の上部に設けた係止部を上ケース２の前面側に設けた嵌合部（共に図示せず）に嵌入し、上ケース２と下ケース３との間に挟持されて、上ケース２、下ケース３、排気板２３及びハンドル部材３０が一体に固定される。
【００２２】
上記のように上ケース２、下ケース３等からなる掃除機本体１内には、図１に示すように、吸込口１７に連通する集塵室３５、その後面側にフィルタ及び通風孔を有する隔壁３６を介して設置された電動送風機３７、電動送風機３７の後面側に配設された制御基板３８、電源コード２６が巻かれて保持部２０に回転自在に配設されたコードリール３９等が設けられており、コードリール３９に巻かれた電源コード２６は、下ケース２に設けたコード引出口２５から引き出されるようになっている。
【００２３】
次に、図５及び図７〜図９により回転台車４０について説明する。
回転台車４０は掃除機本体１の外径より若干大きい外径に形成されており、図７（ａ）、図８に示すように、底部４１の上面外周に設けた周壁４２の内側には、周壁４２と同心的に、掃除機本体１の下面に回転台車４０を軸止したときに、下ケース３のガタ防止リブ１３と僅かなすき間を介して（近接して）その内側に位置する周壁４２より高いガタ防止リブ４３が設けられており、さらにその内側には、ガタ防止リブ４３と所定の間隙を隔ててこれより低い内側リブ４４が同心的に、下ケース３の凹部１４の外周側に位置して設けられている。また、中心部には、下ケース３の凹部１４の中心部に設けた回転軸受部１６内に僅かなすき間を隔てて挿入される円筒状の回転軸４５が立設されており、回転軸４５の下部にはナット４６が一体に設けられている。
【００２４】
そして、ガタ防止リブ４３と内側リブ４４との間の上面側には、周方向にほぼ等間隔で、上面が開口した複数のローラ保持部４７が放射状に設けられている。なお、このローラ保持部４７は３か所以上の複数であればよいが、できれば奇数とすることが望ましい。
このローラ保持部４７内には、図７（ｂ）に示すように、その上部が中心部に向って底部４１の表面に対して所定の角度θ度傾斜してローラ４８が取付けられたローラ保持枠４９が、挿脱可能に挿入されている。実施例では、ローラ４８の傾斜角度θを４５°とした。なお、ローラ保持部４７へのローラ４８の取付けは、他の手段によってもよい。
【００２５】
また、ローラ保持部４７の間には、上面が閉塞され、図９に示すように、下面及び外周側の下部が開口（以下、下面開口部５１、外周側開口部５２という）されたキャスタ保持部５０が設けられており、下面開口部５１の周囲には、外周側開口部５２を除き、下面開口部５１側が高くゆるやかな傾斜面により下面から膨出した膨出部５３が設けられている。
【００２６】
そして、下面開口部５１内には、キャスタ保持部５０の天板に回転自在に取付けられた保持枠５５と、この保持枠５５に回転自在に支持された車輪５６とからなるキャスタ５４が、車輪５６の下端部が膨出部５３より下方に位置するように配設されている。なお、必要に応じて、床面等との摩擦を低減するために、車輪５６の外周の幅方向の中央部に、低摩擦材５６ａを設けあるいは低摩擦シートを貼着してもよい。
５９は底板４１の下面中央部に設けられ、必要に応じて低摩擦シートが貼着されるシート貼着部である。なお、６０は底板４１の周壁４２に装着されたバンパーである。
【００２７】
この回転台車４０は、掃除機本体１の下面に配設され、図７（ａ）に示すように、その回転軸４５が下ケース３の回転軸受部１６に挿入され、回転軸受部１６からワッシャ５８を介して回転軸４５内に挿通されたボルト５７をナット４６に螺入することにより、掃除機本体１は回転台車４０上に回転自在に支持される。
【００２８】
このとき、回転台車４０のガタ防止リブ４３は下ケース３のガタ防止リブ１３と僅かなすき間を介して位置し、回転軸４５は下ケース３の回転軸受部１６と僅かなすき間を介して位置する。なお、下ケース３のガタ防止リブ１３及び回転台車４０のガタ防止リブ４３のいずれか一方の対向面に緩衝材を設けてもよい。
また、ローラ支持枠４９に支持され、回転台車４０の各ローラ保持部４７に所定の角度θで傾斜して保持されたローラ４８は、下ケース３の底部１１と凹部１４の間に形成された段部の下面に設けられた円弧状の当接部１５に回転自在に当接する。
【００２９】
次に、上記のように構成した本実施の形態に係る電気掃除機の作用について説明する。
図１０に示すように、掃除機本体１のハンドル部材３０の接続口３１に、ホース部材１００の接続具１０２を接続し、その取っ手部１０３に延長管１０５を接続して、その先端部に床用吸込具１０６を接続する。ついで、掃除機本体１から引出した電源コード２６を電源コンセントに接続する。
【００３０】
そして、取っ手部１０３に設けた操作部１０４の電源スイッチをＯＮして電動送風機３７を駆動し、取っ手部１０３を持って床用吸込具１０６を床面等の上を移動させれば、床面上等の塵埃などが空気と共に吸込まれ、延長管１０５、ホース部材１００を通って集塵室３６内に吸引される。塵埃等は集塵室３６内に捕捉され、これから分離した空気はフィルタで清浄化されたのち、電動送風機３７、制御基板３８等を冷却し、後面側に設けた排気口２４から外部に排出される。
【００３１】
このとき、掃除機本体１は、回転台車４０に設けたキャスタ５３により、床用吸込具１０６の移動に伴って床面上等を移動し、追従する。また、ホース部材１００が急激に方向を変えた場合などにおいては、掃除機本体１は回転台車４０の上面に設けたローラ４８により回転し、これに対応することができる。なお、必要に応じて、掃除機本体１が回転台車４０上を、３６０°又は１８０°の範囲で回転しうるように、ストッパを設けてもよい。
【００３２】
上記のように構成した本実施の形態によれば、回転台車４０の上面に底部４１の上面と所定の角度θで設置され、掃除機本体１の底面に摺接する複数のローラ４８を設けたので、掃除機本体１が自在に回転できるばかりでなく、掃除機本体１の上下方向と水平方向の両方のガタを抑えることができ、これにより、掃除機本体１と回転台車４０の良好な回転性能を得ることができる。
【００３３】
また、回転台車４０上に掃除機本体１を回転自在に配置したので、回転台車４０にあらゆる方向の衝撃等の外力が加えられても、掃除機本体１には直接この外力が加わらないため、耐久性に富んだ掃除機本体１を有する電気掃除機を得ることができる。
【００３４】
さらに、掃除機本体１の下ケース３の下面の周壁１２側に設けたガタ防止リブ１３、及び上面中心部に設けた回転軸受部１６と、回転台車４０の周壁４２の内側に設けたガタ防止リブ４３、及び中心部に設けた回転軸４５とを、これらとの間にそれぞれ当接しない程度のすき間を介して配設したので、水平方向のガタを抑制できると共に、水平方向の外力に対して回転軸４５への応力負担を軽減することができる。
【００３５】
また、回転台車４０に設けたキャスタ保持部５０の下面開口部５１の外周に、開口部側が高いゆるやかな傾斜面からなる膨出部５３を設けたので、回転台車４０の底部のキャスタ保持部５０の周囲の剛性が高くなり、掃除機本体１の振動が床面等に伝わりにくく、床面等からの反動も掃除機本体１に伝わりにくい。このため、掃除機本体１の移動時に発生するガタガタ音を低減することができる。
【００３６】
また、キャスタ保持部５０の下面開口部５１の周囲に設けた膨出部５３は、キャスタ５４の車輪５６の下端部より僅かに上方の位置、すなわち、床面等と接触しない位置まで膨出しているので、例えば、床面上の電源コードを乗り越える際に、電源コードがキャスタ５４に引掛ることがなく、スムーズに移動することができる。さらに、絨毯の上を移動する際に、膨出部５３が掃除機本体１の重量を分散するため、キャスタ５４に加わる荷重が分散されて、キャスタ５４の回転性能を向上させることができる。
【００３７】
また、膨出部５３の外周側は、外周側開口部５２によって開口されているので、キャスタ５４を掃除機本体１の外周まで位置させることができ、これにより安定したバランスを保持することができる。
さらに、回転台車４０の底面のシート貼着部５９に低摩擦材を設けた場合は、キャスタ５４が絨毯内に埋没しても、絨毯と回転台車４０との摩擦を低減できるので、絨毯上の移動性能を向上することができ、また、キャスタ５４の車輪５６に低摩擦材を設ければ、回転台車４０を、床面上をより円滑に移動させることができ、回転させることができる。
【００３８】
［実施の形態２］
図１１は本発明の実施の形態２に係る電気掃除機の回転台車４０に設けたバンパーの下面図、そのＣ−Ｃ断面説明図及び一部拡大図である。
例えば、ゴム材の如き弾性材によりリング状に形成されたバンパー６０は、回転台車４０のキャスタ保持部５０に対応する部分（以下、凹状部６５という）を除いて、外周側が長い長片６１と、内周側が長片６１より短かい短片６２と、長片６１と短片６２を連結する頂部６３とにより、断面ほぼ逆Ｊ字状に形成されている。
【００３９】
そして、長片６１の内周面の上下方向には、所定の間隔で、下部が開口された中空でほぼ半円筒状のバッファ体６４が一体に設けられている。この場合、短片６２の外周側壁面とバッファ体６４とのすき間ｇは、回転台車４０の周壁４２の板厚ｔより若干狭く形成されている。なお、凹状部６５においては、すき間ｇを隔てて長片６１、短片６２及び頂部６３が設けられている。
【００４０】
上記のように構成したバンパー６０は、回転台車４０の上から、長片６１を外周側にしてその凹状部６５をキャスタ保持部５０上に位置させ、短片６２とバッファ体６４との間、及び凹状部６５の長片６１と短片６２との間を、回転台車４０の周壁４２に嵌合する。
これにより、バッファ体６４は弾性変形し、短片６２とバッファ体６４との間に周壁４２を圧着挟持し、バッファ体６４の付勢力により強固に取付けられる。なお、回転台車４０の周壁４２へのバンパー６０の取付けにあたっては、二重成型技術を利用してもよい。
【００４１】
図１２は本実施の形態に係るバンパーの他の例の要部を示す説明図である。
図１２（ａ）は、バンパー６０の長片６１の内壁面の上下方向に所定の間隔でリブ状のバッファ体６４を一体に設けたものであり、図１２（ｂ）は同じく断面ほぼＣ字状のバッファ体６４を一体に設けたものである。また、図１２（ｃ）は同じく断面ほぼＺ字状のバッファ体６４を一体に設けたものであり、図１２（ｄ）は同じく連続した波形のバッファ体６４を一体に設けたものである。さらに、図１２（ｅ）は、バンパー６０の長片６１と、回転台車４０の周壁４２との間にばねからなるバッファ体６４を設けたものである。なお、この場合は、バンパー６０の長片６１の内壁面に、接着剤によりばねを接着する。
さらに、図示してないが、図１１の半円筒状のバッファ体６４の間に、図１２（ａ）のようなリブ状のバッファ体６４を設けてもよく、これらはバッファ体６４の一例を示すもので、他の形状であってもよい。
【００４２】
本実施の形態によれば、断面ほぼ逆Ｊ字状に形成したリング状のバンパー６０の短片６２とバッファ体６４との間を、回転台車４０の周壁４２に嵌合して装着するようにし、バッファ体６４の弾性により短片６２との間に周壁４２を圧着挟持するようにしたので、バンパー６０に引張りや引掛りなどの外力が作用しても外れにくい。
【００４３】
また、回転台車４０が家具や机の脚あるいは柱などに接触しても、バンパー６０に設けたバッファ体６４が優れたクッション性及び反発力によるすり抜け性を有するため、家具等を傷つけることがない。
さらに、バンパー６０を二重成型技術により回転台車４０の周壁４２に一体的に固着すれば、引張りや引掛りなどの外力に対して、より外れにくくすることができる。なお、本実施の形態に係るバンパー６０は、本発明に係る掃除機本体と異なる構造の掃除機本体にも用いることができる。
【００４４】
［実施の形態３］
図１３は本発明の実施の形態３に係る電気掃除機の掃除機本体の側面図である。なお、実施の形態１と同じ部分にはこれと同じ符号を付し、説明を省略する。
前述のように、円形の車輪台を備えた掃除機本体においては、外周に設けたバンパーが掃除中に回転するため汚れ易く、バンパーが家具や柱等に接触すると、その汚れが家具や柱等に付着して汚してしまうという問題があった。
【００４５】
本実施の形態は、このような問題を解決するために、掃除機本体１の下ケース３の後面側に設けた延設部１９の下面に、バンパー６０と対向して清掃体収容部２７を設け、ハンドル部材３０の係止台３２の後面側と清掃体収容部２７の前面側に、例えば植毛材の如き清掃体２８を、先端がそれぞれバンパー６０の表面に摺接するように、着脱可能に設けたものである。
【００４６】
本実施の形態においては、清掃体２８が常にバンパー６０に摺接しているので、回転台車４０の回転に伴ってバンパー６０の表面を清掃し、常に清潔に保つことができる。
なお、清掃体２８に代えて、清掃体収容部２７と係止台３２に洗剤タンクを設けると共に、バンパー６０に摺接するスポンジを設け、このスポンジに洗剤タンク内の液状の洗剤を浸潤させ、バンパー６０を清掃するようにしてもよい。
【００４７】
本実施の形態においては、バンパー６０の清掃体２８又は洗剤を浸潤させたスポンジを前後２か所に設けたので、回転台車４０が半回転することによりバンパー６０の全周の汚れを落すことができるが、前後いずれか１か所だけに設けてもよい。
本実施の形態によれば、バンパー６０を常に清潔に保つことができるので、回転台車４０が家具や柱などに接触しても、これらを汚すことはない。
【００４８】
［実施の形態４］
図１４は本発明の実施の形態４に係る電気掃除機の掃除機本体の下ケースの平面図である。なお、実施の形態１と同じ部分にはこれと同じ符号を付し、説明を省略する。
前述のように、円形の車輪台を備えた掃除機本体においては、コードリールに巻かれた電源コードを前後方向の中心線とほぼ平行に後方に引き出すようになっているため、電源コードを引き出す際に、掃除機本体を支える手にひねられる方向の負荷がかかり、違和感を受けるという問題があった。
【００４９】
本実施の形態は、このような問題を解決するために、コード引出し口２５を、掃除機本体１の後端部の一方の側、すなわち、コードリール３９の保持部２０を有する下ケース３の延設部１９の一方の端部と、下ケース３の外周とを結ぶ接線ｘ内にコード引出し口２５を設けたものである。なお、できうれば、接線ｘと直交し下ケース４の中心を通る線ｙに沿ってコード引出し口２５を設けることが望ましい。
【００５０】
上記のように構成した本実施の形態によれば、電源コード２６を引き出す際に掃除機本体１はほとんど回転しないので、これを支える手に負荷がかかることがなく、したがって、違和感を受けることもない。なお、本実施の形態は、例えば、コードリールの中心部を下ケースの中心部に設けた場合など、本発明に係る掃除機本体と異なる構造の掃除機本体にも実施することができる。
【００５１】
［実施の形態５］
図１５は本発明の実施の形態５に係る電気掃除機の掃除機本体の説明図である。なお、実施の形態１と同じ部分にはこれと同じ符号を付し、説明を省略する。
本実施の形態は、掃除機本体１の上ケース２と下ケース３の、吸込口１７、上部延設部７、延設部１７及びコード引出し口２５（以下、これらを開口部という）を除く部分の周壁８，１２の内側に、周壁８，１２と同心的にかつ所定のすき間を隔て内壁８ａ，１２ａを設け、周壁を二重構造としたものである。この場合、図１５（ｂ）に示すように、上ケース２と下ケース３にそれぞれリブ２ａ，３ａを設け、両リブ２ａ，３ａの間に両者を連結する内壁板７０を設けて内壁８ａ，１２ａを構成してもよい。
【００５２】
このように構成したことにより、上ケース２と下ケース３の周壁８，１２と内壁８ａ，１２ａとの間に空気層が形成するため、電動送風機３７の駆動等による騒音を低減することができ、また、掃除機本体１の剛性を高めることができる。
【００５３】
また、本実施の形態は、必要に応じて、上ケース２と下ケース３の周壁８，１２と内壁８ａ，１２ａとの間に、消音材７１を配設したものである。これにより、騒音をより低減することができる。なお、本実施の形態は、本発明に係る掃除機本体と構造の異なる掃除機本体にも実施することができる。
【図面の簡単な説明】
【００５４】
【図１】本発明の実施の形態１に係る電気掃除機の掃除機本体と回転台車の縦断面図である。
【図２】図１の外観斜視図である。
【図３】図２の前面図である。
【図４】図２の後面図である。
【図５】図２の掃除機本体と回転台車を分離した状態を示す斜視図である。
【図６】掃除機本体の下ケースの平面図である。
【図７】回転台車への掃除機本体の下ケースの装着状態を示す説明図及びローラの説明図である。
【図８】回転台車の平面図及びそのＡ−Ａ断面図である。
【図９】回転台車の下面斜視図及びそのＢ−Ｂ断面図である。
【図１０】本発明の実施の形態１に係る電気掃除機の全体構成を示す斜視図である。
【図１１】本発明の実施の形態２に係る電気掃除機のバンパーの下面図、そのＣ−Ｃ断面説明図及び一部拡大図である。
【図１２】実施の形態２のバンパーの他の例を示す説明図である。
【図１３】本発明の実施の形態３に係る電気掃除機の掃除機本体と回転台車の側面説明図である。
【図１４】本発明の実施の形態４に係る電気掃除機の掃除機本体の下ケースの平面図である。
【図１５】本発明の実施の形態５に係る電気掃除機の掃除機本体の説明図及びそのＤ−Ｄ断面図である。
【符号の説明】
【００５５】
１  掃除機本体、２  上ケース、３  下ケース、８  周壁、８ａ，１２ａ  内壁、１２  周壁、１３  ガタ防止リブ、１５  当接部、１６  回転軸受部、１９  延設部、２０  コードリールの保持部、２５  コード引出し部、２６  コードリール、２８  清掃体、３０  ハンドル部材、３２  係止台、３４  ハンドル、３５  集塵室、３７  電動送風機、３９  コードリール、４０  回転台車、４２  周壁、４３  ガタ防止リブ、４５  回転軸、４７  ローラ保持部、４８  ローラ、５０  キャスタ保持部、５３  膨出部、５４  キャスタ、５９  低摩擦シートの貼着部、６０  バンパー、６１  長片、６２  短片、６４  バッファ体、７１  消音材。
【図１】
2008043635.tif 000003
【図２】
2008043635.tif 000004
【図３】
2008043635.tif 000005
【図４】
2008043635.tif 000006
【図５】
2008043635.tif 000007
【図６】
2008043635.tif 000008
【図７】
2008043635.tif 000009
【図８】
2008043635.tif 000010
【図９】
2008043635.tif 000011
【図１０】
2008043635.tif 000012
【図１１】
2008043635.tif 000013
【図１２】
2008043635.tif 000014
【図１３】
2008043635.tif 000015
【図１４】
2008043635.tif 000016
【図１５】
2008043635.tif 000017